(57)【要約】【課題】ゴミ、廃棄物等の焼却灰その他の湿った灰を乾燥させるための灰乾燥機において、回転ドラム内に灰を円滑に投入するようにした投入装置を提供する。【解決手段】傾斜した投入シュート（５）により灰を回転ドラム（１）内に落下させるようにした灰乾燥機における投入装置において、前記投入シュートには該投入シュート内に付着し又は滞留した灰を掻き落すためのスクレーパ（１１）を備えさせたことを特徴とする灰乾燥機における投入装置。前記投入シュートの内面における少なくとも底部（１３）を断面略円弧状に形成し、前記スクレーパは、一枚のブレード（１５）を該投入シュートの長さ方向に該底部に沿って片持ち状に配設し、該ブレードをモータ（１７）により該底部に沿って該投入シュートの長さ方向と直角の方向に揺動させるようにしてなるものとする。【選択図】図１
2005283063.tif 000002
【特許請求の範囲】
【請求項１】
傾斜した投入シュートにより灰を回転ドラム内に落下させるようにした灰乾燥機における投入装置において、
前記投入シュートには該投入シュート内に付着し又は滞留した灰を掻き落すためのスクレーパを備えさせたことを特徴とする灰乾燥機における投入装置。
【請求項２】
前記投入シュートの内面における少なくとも底部を断面略円弧状に形成し、前記スクレーパは、一枚のブレードを該投入シュートの長さ方向に該底部に沿って片持ち状に配設し、該ブレードをモータにより該底部に沿って該投入シュートの長さ方向と直角の方向に揺動させるようにしてなることを特徴とする請求項１に記載の灰乾燥機における投入装置。
【請求項３】
前記投入シュートには冷却手段又は断熱手段を備えさせたことを特徴とする請求項１又は２に記載の灰乾燥機における投入装置。
【発明の詳細な説明】
【技術分野】
【０００１】
本発明は、灰乾燥機における投入装置に関するものであり、特に、ゴミ、廃棄物等の焼却灰その他の湿った灰を乾燥させるための灰乾燥機において、回転ドラム内に灰を円滑に投入するようにした投入装置に係るものである。
【背景技術】
【０００２】
回転ドラム内に材料を投入するようにした乾燥機における投入装置としては、特開２００２−４８４７２号公報に示すように、投入シュートが従来より知られている。
【０００３】
上記従来の投入シュートは、通路を傾斜させてなるに過ぎないものである。即ち、従来の投入シュートは、上部の投入口から材料を専ら重力のみにより回転ドラム内に落下させるようにしたものである。
【０００４】
また、回転ドラム内に材料を投入するようにした乾燥機における投入装置としては、特開２００２−３５００６１号公報に示すように、円筒体内に回転するスクリューを配設してなるものも従来より知られている。この投入装置は、円筒体内に供給された材料を回転するスクリューにより送るようにしたものである。
【特許文献１】特開２００２−４８４７２号公報
【特許文献２】特開２００２−３５００６１号公報
【発明の開示】
【発明が解決しようとする課題】
【０００５】
上記従来の投入シュートにおいては、投入シュートの傾斜面に材料が付着し或いは滞留すると、材料の滑りが悪くなり、そのまま放置しておくと材料の流れが止まり、最終的には投入シュートが閉塞し、乾燥機全体が運転不能となるおそれがある。
【０００６】
このような事態を防ぐためには、投入シュートの内面に付着した材料を除去し、該投入シュートの内面を清掃しなければならない。この清掃作業には多大の労力を要する。また、投入シュートの清掃作業を行なう際には、まず、乾燥機を停止し、その内部温度が低下するのを待たなければならないため、時間的なロスも大きい。特に、一日２４時間の連続運転を行なう場合には、このような時間的なロスは耐え難いものとなる。
【０００７】
上記従来の投入シュートにおける熱風接触部は高温になるため、該投入シュートに歪が生ずると共に材料が投入シュートの内面に固着するという問題も生ずる。
【０００８】
一方、スクリューを用いた上記従来の投入装置においては、スクリューの螺旋状凹部に材料が付着し、送り量が徐々に減少し、やがては運転不能になるおそれがある。また、材料との摩擦によりスクリューの螺旋状凸部が摩耗し易く、スクリュー全体を交換せざるを得なくなることも往々にしてある。更に、スクリューを用いた投入装置は、投入シュートに比べて高価である。
【０００９】
本発明は、スクリューを用いた投入装置よりも安価な投入シュートを投入装置として採用しつつ、上記従来の投入シュートにおける上述の如き問題を解決し、回転ドラム内に灰を円滑に投入するようにした灰乾燥機における投入装置を提供しようとしてなされたものである。
【課題を解決するための手段】
【００１０】
上記課題を解決するために、本発明は下記の灰乾燥機における投入装置を提供するものである。
【００１１】
（１）傾斜した投入シュートにより灰を回転ドラム内に落下させるようにした灰乾燥機における投入装置において、
前記投入シュートには該投入シュート内に付着し又は滞留した灰を掻き落すためのスクレーパを備えさせたことを特徴とする灰乾燥機における投入装置（請求項１）。
【００１２】
（２）前記投入シュートの内面における少なくとも底部を断面略円弧状に形成し、前記スクレーパは、一枚のブレードを該投入シュートの長さ方向に該底部に沿って片持ち状に配設し、該ブレードをモータにより該底部に沿って該投入シュートの長さ方向と直角の方向に揺動させるようにしてなる（請求項２）。
【００１３】
（３）前記投入シュートには冷却手段又は断熱手段を備えさせる（請求項３）。
【００１４】
［発明の作用］
［請求項１の発明］
灰は傾斜した投入シュートにより回転ドラム内に落下するのであるが、投入シュート内に付着し又は滞留した灰は、固着前の柔らかな初期の段階でスクレーパにより掻き落される。
【００１５】
［請求項２の発明］
スクレーパのブレードは、断面略円弧状に形成された投入シュートの内面底部に沿って投入シュートの長さ方向と直角の方向に揺動するため、投入シュートの内面底部に付着し又は滞留した灰はスクレーパのブレードにより確実に掻き落される。スクレーパは一枚のブレードを該投入シュートの長さ方向に該底部に沿って片持ち状に配設し、該ブレードを投入シュートの長さ方向と直角の方向に揺動させるようにしてなるものであるため、灰中に針金その他の紐状体が含まれているときでも、これらの針金その他の紐状体がブレードを含むスクレーパに絡まるおそれは小さい。
【００１６】
［請求項３の発明］
投入シュートには冷却手段又は断熱手段を備えさせているため、投入シュートが熱風により高温になり、その結果、投入シュートに歪が生じ、或いは材料が投入シュートの内面に固着するという問題は解消する。
【発明の効果】
【００１７】
［請求項１の発明］
投入シュート内に付着し又は滞留した灰は、固着前の柔らかな初期の段階でスクレーパにより掻き落される。従って、投入シュートの内面に付着した材料を除去し、該投入シュートの内面を清掃する作業は不要になる。また、投入シュートの清掃作業を行なうために乾燥機を停止し、その内部温度が低下するのを待つという時間的なロスを省くこともできる。換言すれば、乾燥機の連続運転が可能となる。
【００１８】
［請求項２の発明］
スクレーパのブレードは、断面略円弧状に形成された投入シュートの内面底部に沿って投入シュートの長さ方向と直角の方向に揺動するため、投入シュートの内面底部に付着し又は滞留した灰はスクレーパのブレードにより確実に掻き落される。スクレーパは一枚のブレードを該投入シュートの長さ方向に該底部に沿って片持ち状に配設し、該ブレードを投入シュートの長さ方向と直角の方向に揺動させるようにしてなるものであるため、灰中に針金その他の紐状体が含まれているときでも、これらの針金その他の紐状体がブレードを含むスクレーパに絡まるおそれは小さい。
【００１９】
［請求項３の発明］
投入シュートには冷却手段又は断熱手段を備えさせているため、投入シュートが熱風により高温になり、その結果、投入シュートに歪が生じ、或いは材料が投入シュートの内面に固着するという問題は解消する。
【発明を実施するための最良の形態】
【００２０】
符号１に示すものは灰乾燥機における回転ドラムである。回転ドラム１はモータ等の駆動手段（図示せず。）により回転する。回転ドラム１内には熱風入口３より熱風が吹き込まれる。熱風の温度は、一例として、約６５０℃である。
【００２１】
焼却灰等の湿った灰は、投入シュート５を通って回転ドラム１内に落下する。即ち、灰は、投入シュート５における投入口７より投入シュート５内に入り、落ち口９より回転ドラム１内に落下する。
【００２２】
投入シュート５には該投入シュート５内に付着し又は滞留した灰を掻き落すためのスクレーパ１１を配設する。スクレーパ１１は、例えば、投入シュート５の長さ方向に進退するものであってもよいが、投入シュート５の長さ方向に対し直角の方向に揺動ないし回転するものであっても差し支えない。
【００２３】
図示の事例においては、投入シュート５の内面における少なくとも底部１３を断面略円弧状に形成している。図３、図１参照。
【００２４】
更に、図示の事例においては、スクレーパ１１は、一枚のブレード１５を投入シュート５の長さ方向に下向きに該底部１３に沿って片持ち状に配設し、該ブレード１５をモータ１７により該底部１３に沿って投入シュート５の長さ方向と直角の方向に揺動させるようにしてなるものである。
【００２５】
即ち、一例として、投入シュート５の上端１９外方に設けたモータ取付台２０にモータ１７を固定し、該上端１９を内外に貫く揺動軸２１を投入シュート５の長さ方向に配設し、該揺動軸２１の一端をモータ１９に関連させ、該揺動軸２１の他端にブレード１５を取り付ける。
【００２６】
スクレーパ１１のブレード１５は、モータ１７やリミットスイッチ（図示せず。）の寿命を長くするために、間欠的に揺動させることが望ましい。
【００２７】
スクレーパ１１のブレード１５は、一例として、約１２０度の角度範囲で揺動するようになす。図３参照。
【００２８】
投入シュート５には、熱風に晒される部分に冷却手段２３又は断熱手段２５を備えさせる。
【００２９】
冷却手段２３の一例を図４に示す。この冷却手段２３は、投入シュート５の外面に水冷ジャケット２７を被覆し、該水冷ジャケット２７内に冷却水を流通させるようにしてなるものである。即ち、冷却水は冷却水入口２９より水冷ジャケット２７内に流入し、水冷ジャケット２７内を通過して冷却水出口３１にて水冷ジャケット２７外に出る。
【００３０】
断熱手段２５は、一例として、図１に示すように、投入シュート５の外面に断熱材を被覆させてなるものである。
【図面の簡単な説明】
【００３１】
【図１】本発明による灰乾燥機における投入装置の一例を示す断面図である。
【図２】スクレーパの一例を示す斜視図である。
【図３】投入シュートの断面図である。
【図４】投入シュート等を示す背面図である。
【符号の説明】
【００３２】
１  回転ドラム
３  熱風入口
５  投入シュート
７  投入口
９  落ち口
１１  スクレーパ
１３  底部
１５  ブレード
１７  モータ
１９  上端
２０  モータ取付台
２１  揺動軸
２３  冷却手段
２５  断熱手段
２７  水冷ジャケット
２９  冷却水入口
３１  冷却水出口
【図１】
2005283063.tif 000003
【図２】
2005283063.tif 000004
【図３】
2005283063.tif 000005
【図４】
2005283063.tif 000006